(57)【要約】    【課題】  セキュリティ対策を十分に行いつつ、複数のコンピュータ・ネットワークに分けて運用することが可能なシステム切替装置付きパーソナル・コンピュータを提供することである。    【解決手段】  オペレーティングシステムがそれぞれ格納されたＮ基（Ｎ≧２）の補助記憶装置（１８、２０）と、補助記憶装置にそれぞれ対応するＮ系統（Ｎ≧２）のＬＡＮ経路（２８−３２、３０−３２）とを備え、リレー（２６）に接続されている切替スイッチ（３６）において所望のシステムを選択すると、所望のシステムに対応する補助記憶装置のみに電源が入り、かつ、所望のシステムに対応するＬＡＮ経路のみが接続されるように構成されていることを特徴とする。【選択図】  図１
0003102184.tif 000002
【実用新案登録請求の範囲】
【請求項１】
システム切替装置付きパーソナル・コンピュータであって、
オペレーティングシステムがそれぞれ格納されたＮ基（Ｎ≧２）の補助記憶装置と、
前記補助記憶装置にそれぞれ対応するＮ系統（Ｎ≧２）のＬＡＮ経路とを備え、
リレーに接続されている切替スイッチにおいて所望のシステムを選択すると、前記所望のシステムに対応する補助記憶装置のみに電源が入り、かつ、前記所望のシステムに対応するＬＡＮ経路のみが接続されるように構成されていることを特徴とするパーソナル・コンピュータ。
【考案の詳細な説明】
【技術分野】
【０００１】
本考案は、システム切替装置付きパーソナル・コンピュータに関する。ここで、切替装置による切替えが可能なシステムとして、ＬＡＮ（構内情報通信網）、オペレーティング・システム（ＯＳ）が格納された補助記憶装置が含まれる。
【背景技術】
【０００２】
現在、自治体や官公庁等においては、セキュリティ対策の観点から、業務で使用するコンピュータ・ネットワークを住民情報系と行政情報系に分けて運用しているところが多い。そして、このように運用されている場合、前者の住民情報系では、汎用コンピュータを中心に据えて、住民の個人情報等を取り扱うシステムに接続されており、インターネットには接続されていない。これに対し、後者の行政情報系には、いわゆるイントラネット端末が用いられ、メールやウェブ等の各種サーバに接続され、インターネットを閲覧することができるようになっている。
【０００３】
一方、近年、イントラネット端末が普及して、パーソナル・コンピュータの一人一台体制が実現しつつあり、これによりパーソナル・コンピュータの設置スペースの確保が重要な問題となっている。
【考案の開示】
【考案が解決しようとする課題】
【０００４】
上述のように、セキュリティ対策の観点から、コンピュータ・ネットワークを２つに分けて運用する体制としたため、パーソナル・コンピュータを一人一台ではなく一人二台としている例が多く見受けられるようになっており、パーソナル・コンピュータの設置スペースの確保が益々困難となっている。そこで、セキュリティ対策を十分に行いつつ、コンピュータ・ネットワークを２つに分けて運用することができる、省スペースのパーソナル・コンピュータに対する強い要請がある。
【０００５】
したがって、本考案は、セキュリティ対策を十分に行いつつ、コンピュータ・ネットワークを２つに分けて運用することが可能なシステム切替装置付きパーソナル・コンピュータを提供することを目的としている。
【課題を解決するための手段】
【０００６】
本願請求項１に記載のシステム切替装置付きパーソナル・コンピュータは、オペレーティングシステムがそれぞれ格納されたＮ基（Ｎ≧２）の補助記憶装置と、前記補助記憶装置にそれぞれ対応するＮ系統（Ｎ≧２）のＬＡＮ経路とを備え、リレーに接続されている切替スイッチにおいて所望のシステムを選択すると、前記所望のシステムに対応する補助記憶装置のみに電源が入り、かつ、前記所望のシステムに対応するＬＡＮ経路のみが接続されるように構成されていることを特徴とするものである。
【考案の効果】
【０００７】
本考案のシステム切替装置付きパーソナル・コンピュータでは、ＯＳが格納されている補助記憶装置同士が物理的に別個のものであり互いに遮断されているので、起動システム間でのデータのやり取りはない。また、ＬＡＮ系統も物理的に切替えられているので、ＬＡＮケーブルの入れ替えを行わない限り、選択したシステム以外のＬＡＮ系統に変更することはできない。したがって、インターネット使用中に外部から不正侵入されたとしても、イントラネット間での不正侵入の未然防止を一台のパーソナル・コンピュータで行うことが可能となる。
【考案を実施するための最良の形態】
【０００８】
次に添付図面を参照して、本考案の好ましい実施の形態に係るシステム切替装置付きパーソナル・コンピュータについて詳細に説明する。図１は、本考案の好ましい実施の形態に係るシステム切替装置付きパーソナル・コンピュータを模式的に示した概略図である。図１において全体として参照符号１０で示される本考案の好ましい実施の形態に係るシステム切替装置付きパーソナル・コンピュータは、本体１２の内部に、ＣＰＵ（中央演算処理ユニット）１４と、メモリ１６と、ＯＳが格納されているシステム１用の第１補助記憶装置１８と、ＯＳが格納されているシステム２用の第２補助記憶装置２０とを有しており、ＣＰＵ１４、メモリ１６、第１補助記憶装置１８及び第２補助記憶装置２０がバス２２によって相互に接続されている。
【０００９】
第１補助記憶装置１８及び第２補助記憶装置２０としては、好ましくは、ハードディスクが用いられる。
【００１０】
パーソナル・コンピュータ１０は、本体１２に隣接して、システム切替装置２４を備えており、システム切替装置２４内には、リレー２６が配置されている。また、システム切替装置２４は、システム１用のＬＡＮの入力ポートとなる第１ＬＡＮ入力ポート２８、システム２用のＬＡＮの入力ポートとなる第２ＬＡＮ入力ポート３０、切替ＬＡＮ出力ポート３２、及びシステムを切り替えるための切替スイッチ３６を有しており、本体１２に設けられた標準ＬＡＮポート３４と切替ＬＡＮ出力ポート３２とが接続されている。
【００１１】
システム切替装置２４は、切替スイッチ３６で「システム１（ＳＹＳ−１）」又は「システム２（ＳＹＳ−２）」を選択することにより、リレー２６を介して、ＬＡＮ接点部３８及び補助記憶装置接点部４０において、選択した側のシステムに接続されるように構成されている。
【００１２】
より詳細に説明すると、切替スイッチ３６で「システム１（ＳＹＳ−１）」を選択すると、リレー２６を介して、ＬＡＮ接点部３８においてシステム１用ＬＡＮポート２８と切替ＬＡＮ出力ポート３２とが接続されるとともに、補助記憶装置接点部４０において第１補助記憶装置１８に電源が入る（図１では、この状態が図示されている）。これにより、パーソナル・コンピュータ１０は、第１補助記憶装置１８に格納されているＯＳで起動され、ＬＡＮもシステム１でのみ接続可能となる。
【００１３】
一方、切替スイッチ３６で「システム２（ＳＹＳ−２）」を選択すると、リレー２６を介して、ＬＡＮ接点部３８においてシステム２用ＬＡＮポート３０と切替ＬＡＮ出力ポート３２とが接続されるとともに、補助記憶装置接点部４０において第２補助記憶装置２０に電源が入る。これにより、パーソナル・コンピュータ１０は、第２補助記憶装置２０に格納されているＯＳで起動され、ＬＡＮもシステム２でのみ接続可能となる。
【００１４】
次に、以上のように構成されたシステム切替装置付きパーソナル・コンピュータ１０の作動について説明する。まず、切替スイッチ３６で所望のシステムを選択する。すると、、ＯＳが格納されている補助記憶装置とＬＡＮ系統が、選択したシステムのものに接続され、選択しなかった補助記憶装置とＬＡＮ系統との接続は遮断される。この際、例えば、システム１をインターネット用とし、システム２をイントラネット用としておくと、インターネット（システム１）を使用中に、万が一外部から不正侵入されたとしても、イントラネット（システム２）間での不正侵入を未然に防止することができる。
【００１５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１６】
例えば、前記実施の形態では、パーソナル・コンピュータ１０は、２基のシステムを備えているが、３基又はそれ以上のシステムを備えていてもよい。また、前記実施の形態では、本体１２とシステム切替装置２４が別体のものとして示されているが、本体１２とシステム切替装置２４を一体のものとして形成してもよい。
【図面の簡単な説明】
【００１７】
【図１】本考案の好ましい実施の形態に係るシステム切替装置付きパーソナル・コンピュータを模式的に示した概略図である。
【符号の説明】
【００１８】
１０  システム切替装置付きパーソナル・コンピュータ
１２  本体
１４  ＣＰＵ
１６  メモリ
１８  第１補助記憶装置
２０  第２補助記憶装置
２２  バス
２４  システム切替装置
２６  リレー
２８  第１ＬＡＮ入力ポート
３０  第２ＬＡＮ入力ポート
３２  切替ＬＡＮ出力ポート
３４  標準ＬＡＮポート
３６  切替スイッチ
３８  ＬＡＮ接点部
４０  補助記憶装置接点部
【図１】
0003102184.tif 000003